(57)【要約】【課題】  本発明は、電子機器、コンデンサ及び電子機器におけるコンデンサの実装方法に関し、例えば電子スチルカメラ、携帯電話、ＰＤＡ等に適用して、大容量のコンデンサを設ける場合であっても、電子機器を薄型化することができるようにする。【解決手段】  本発明は、陽極用電極及び陰極用電極を交互に積層して平板形状によりコンデンサ１１を形成する。また機器の外装１０Ａの面に沿わせてこのコンデンサ１１を配置する。【選択図】        図１
2005064212.tif 000002
【特許請求の範囲】
【請求項１】
陽極用電極及び陰極用電極を交互に積層して平板形状により形成されたコンデンサを、外装の面と前記陽極用電極とがほぼ平行になるように、前記外装の面に沿わせて配置した
ことを特徴とする電子機器。
【請求項２】
前記外装の面が、前記外装の内側面であり、
前記コンデンサの前記内側面側とは逆側の面に設けられた電極に対して、端子を接触させて前記コンデンサを対応する回路ブロックに接続する
ことを特徴とする請求項１に記載の電子機器。
【請求項３】
前記コンデンサが、瞬時電流による電源電圧の降下を緩和するコンデンサである
ことを特徴とする請求項１に記載の電子機器。
【請求項４】
前記コンデンサが、電源電圧の平滑化用のコンデンサである
ことを特徴とする請求項１に記載の電子機器。
【請求項５】
前記コンデンサが、充電した電力の放電により一時的に電子部品を駆動するコンデンサである
ことを特徴とする請求項１に記載の電子機器。
【請求項６】
前記電子部品が、発光素子である
ことを特徴とする請求項５に記載の電子機器。
【請求項７】
陽極用電極及び陰極用電極を交互に積層して平板形状により形成された
ことを特徴とするコンデンサ。
【請求項８】
前記平板形状による前記陽極用電極と平行な面に、前記陽極用電極及び陰極用電極にそれぞれ接続された端子が設けられた
ことを特徴とする請求項７に記載のコンデンサ。
【請求項９】
陽極用電極及び陰極用電極を交互に積層して平板形状により形成されたコンデンサを、外装の面と前記陽極用電極とがほぼ平行になるように、前記外装の面に沿わせて配置する
ことを特徴とする電子機器におけるコンデンサの実装方法。
【発明の詳細な説明】
【技術分野】
【０００１】
本発明は、電子機器、コンデンサ及び電子機器におけるコンデンサの実装方法に関し、例えば電子スチルカメラ、携帯電話、ＰＤＡ（Personal Digital Assistants ）等に適用することができる。本発明は、陽極用電極及び陰極用電極を交互に積層して平板形状によりコンデンサを形成することにより、また機器の外装の面に沿わせてこのコンデンサを配置することにより、大容量のコンデンサを設ける場合であっても、電子機器を薄型化することができるようにする。
【背景技術】
【０００２】
従来、電子スチルカメラ等の携帯側電子機器は、携帯性を向上するために薄型化され、そのため実装に供する電子部品についても、厚みの薄い電子部品が適用されるようになされている。しかしながら大容量のコンデンサである電解コンデンサにあっては、他の部品に比して厚みが厚く、この種の電子機器では、このような大容量のコンデンサの実装を避け得ない。
【０００３】
すなわちこの種の電子機器は、例えば二次電池、太陽電池等の電源により動作する。しかしながらこれらの電源は、比較的内部抵抗が大きい欠点があり、これによりこれらの電源では、瞬間的に大きな電流が流れると電源電圧の降下が激しくなる。このためこの種の電子機器は、大容量のコンデンサに充電した電力により瞬時電流による電源電圧の降下を緩和して電源のインピーダンスを下げ、安定な動作を確保するようになされている。
【０００４】
またこの種の電子機器は、ＤＣ−ＤＣコンバータ等による昇圧回路でこのような電源を昇圧して所望する電源電圧を確保するようになされており、このような昇圧回路においても、電源電圧の平滑化を目的として大容量のコンデンサが用いられるようになされている。
【０００５】
また電子スチルカメラは、フラッシュにより被写体を照明するものもあり、このような電子機器においては、シャッターの操作に応動してキセノンランプ等による発光体を高電圧（キセノンランプの場合２５０〔Ｖ〕前後）、大電力により瞬間的に駆動するようになされており、大容量のコンデンサ（数１００〔μＦ〕程度）に充電した電力の放電によりこのような発光体に駆動用電源を供給するようになされている。
【０００６】
これらによりこの種の電子機器においては、このような大容量のコンデンサの厚みで全体の厚みが制限され、結局、薄型化が困難な問題があった。
【０００７】
このような携帯側電子機器に関して、例えば特開平２−７９３７３号公報等に、電池の収納方法が提案されるようになされている。
【特許文献１】特開平２−７９３７３号公報
【発明の開示】
【発明が解決しようとする課題】
【０００８】
本発明は以上の点を考慮してなされたもので、大容量のコンデンサを設ける場合であっても、薄型化することができる電子機器、コンデンサ及び電子機器におけるコンデンサの実装方法を提案しようとするものである。
【課題を解決するための手段】
【０００９】
係る課題を解決するため請求項１の発明においては、電子機器に適用して、陽極用電極及び陰極用電極を交互に積層して平板形状により形成されたコンデンサを、外装の面と陽極用電極とがほぼ平行になるように、外装の面に沿わせて配置する。
【００１０】
また請求項７の発明においては、コンデンサに適用して、陽極用電極及び陰極用電極を交互に積層して平板形状により形成されてなるようにする。
【００１１】
また請求項９の発明においては、電子機器におけるコンデンサの実装方法に適用して、陽極用電極及び陰極用電極を交互に積層して平板形状により形成されたコンデンサを、外装の面と陽極用電極とがほぼ平行になるように、外装の面に沿わせて配置する。
【００１２】
請求項１の構成により、電子機器に適用して、陽極用電極及び陰極用電極を交互に積層して平板形状により形成されたコンデンサにあっては、薄型化することができる。これにより外装の面と陽極用電極とがほぼ平行になるように、このコンデンサを外装の面に沿って配置すれば、形状を薄型化することができる。
【００１３】
これにより請求項７の構成によれば、大容量のコンデンサを設ける場合であっても、電子機器を薄型化することができるコンデンサを提供することができる。また請求項９の構成によれば、大容量のコンデンサを設ける場合であっても、電子機器を薄型化することができる電子機器におけるコンデンサの実装方法を提供することができる。
【発明の効果】
【００１４】
本発明によれば、大容量のコンデンサを設ける場合であっても、薄型化することができる。
【発明を実施するための最良の形態】
【００１５】
以下、適宜図面を参照しながら本発明の実施例を詳述する。
【実施例１】
【００１６】
（１）実施例１の構成
図１は、本発明の実施例１に係る携帯型電子機器である電子スチルカメラを示す斜視図である。この電子スチルカメラ１は、厚みの薄い横長の長方形形状により形成される。電子スチルカメラ１は、正面側より見て、この横長の一端側にレンズ２が設けられ、また上端側に、ファインダー窓３、フラッシュ４が設けられ、またレンズ２に近接してほぼ中央にマイク５、セルフタイマーランプ６が設けられる。これにより電子スチルカメラ１は、正面側の中央から左側、上端側を除く部位に、外部に露出する電子部品を何ら設けない領域が形成されるようになされている。電子スチルカメラ１は、さらに上端面には、シャッターボタン７、電源スイッチ８が設けられ、背面側には液晶画面、各種操作子等が設けられる。
【００１７】
電子スチルカメラ１は、このようにレンズ２等が設けられてなる正面側の正面ケース１０Ａと、この正面ケース１０Ａと対向する背面ケース１０Ｂとにより外装が形成され、これらケース１０Ａ及び１０Ｂに各種電子部品を実装した配線基板等が収納される。電子スチルカメラ１は、このように外装を形成する正面ケース１０Ａにおいて、正面側の中央から左側、上端側を除く外部に露出する電子部品を何ら設けない領域の内側面に沿って、大容量のコンデンサ１１が設けられる。
【００１８】
ここでコンデンサの基本構成は、図２（Ａ）に示すように、誘電体１５を間に挟んで電極１６Ａ及び１６Ｂを対向させるものである。従来、大容量のコンデンサである電解コンデンサにおいては、図２（Ｂ）に示すように、酸化皮膜による誘電体膜を形成してなる陽極用電極１６Ａ、電解液を含液になる電解紙１７、アルミ箔による陰極用電極１６Ｂを順次積層した積層体を細長いシート状により形成し、この積層体を巻回して円柱形状により形成される。これにより従来の大容量コンデンサにおいては、これら積層体の厚みを薄くし、さらには幅を狭くして形状を小型化するようになされ、また積層体の面積を増大させて容量を増大させるようになされている。しかしてこの場合、この従来のコンデンサにおいては、この積層体の幅×円柱形状の径が概略、外形形状となり、この幅又は径により実装する装置の厚みが制限されることになる。
【００１９】
これに対してこの電子スチルカメラ１に適用される大容量のコンデンサ１１は、電解コンデンサであり、図２（Ｃ）及び（Ｄ）に示すように、電解紙（図示せず）を間に挟んで、必要とする容量の分、シート材による陽極用電極１６Ａ、陰極用電極１６Ｂを交互に積層し、保護シートにより封止して全体が平板形状により形成される。これによりこのコンデンサ１１は、従来に比して電極１６Ａ及び１６Ｂの投影面積を格段的に大きくし、その分、極端に厚みを薄くするようになされている。
【００２０】
コンデンサ１１は、これら双方の電極１６Ａ及び１６Ｂがそれぞれ内部で接続されて、外部端子１８Ａ及び１８Ｂに接続され（図２（Ｄ））、この外部端子１８Ａ及び１８Ｂを介して所望する回路ブロックに接続できるように形成される。コンデンサ１１は、これら外部端子１８Ａ及び１８Ｂが矩形形状により形成され、このような平板形状による一方の面に併設されて、周囲の面とほぼ平坦になるように形成される。
【００２１】
これに対応して正面ケース１０Ａにおいては（図１）、正面側の中央から左側、上端側を除く外部に露出する電子部品を何ら設けない領域の内側面が、このコンデンサ１１を沿わせて配置できるように平坦な面により形成され、これによりコンデンサ１１を配置して無駄な空間が作成されないようになされている。また位置決め用の段差又は突起が、コンデンサ１１の全周に対応する部位に形成され、またはこれら対応する部位の一部に形成され、これによりこの平板形状によるコンデンサ１１を簡易かつ確実に位置決めして保持できるようになされている。
【００２２】
すなわち電子スチルカメラ１において、図１をＡ−Ａ線により切り取って図３に示すように、コンデンサ１１は、外部端子１８Ａ及び１８Ｂを設けていない側の面が正面ケース１０Ａの内側面と対向するように、正面ケース１０Ａの内側面に沿って保持される。この実施例では粘着剤による接着によりケース１０Ａの内側面にコンデンサ１１が設けられる。このためコンデンサ１１は、コンデンサ１１の電極１８Ａ及び１８Ｂが設けられていない側の面に、事前に、粘着剤が塗布された後、剥離シートが貼り着けられて供給されるようになされている。
【００２３】
また電子スチルカメラ１では、正面ケース１０Ａのアッセンブリ工程で、この粘着剤に係る剥離シートを取り外し、コンデンサ１１をケース１０Ａの内側面に押圧することにより、コンデンサ１１をケース１０Ａに実装するようになされている。その後、電子スチルカメラ１では（図３）、各種電子部品２１を実装してなる配線基板２２がコンデンサ１１とほぼ平行に対向するようにケース１０Ａに実装され、この基板２２のコンデンサ１１側面に設けられた端子２３Ａ及び２３Ｂがそれぞれコンデンサ１１の電極１８Ａ及び１８Ｂに接触してコンデンサ１１が配線基板２２に形成された回路ブロックに接続されるようになされている。
【００２４】
すなわち図４は、図３において符号Ｂにより示す端子２３Ａ及び２３Ｂの部位を拡大して示す正面図（図４（Ａ））及び側面図（図４（Ｂ））である。端子２３Ａ及び２３Ｂは、同一形状により形成され、例えばりん青銅板等の弾性を有する金属板材を曲げ加工して、この実施例では断面Ｖの字形状に形成される。これにより端子２３Ａ及び２３Ｂは、全体が撓んでコンデンサ１１の電極１８Ａ及び１８Ｂに適度な押圧力により押圧され、これにより電極１８Ａ及び１８Ｂに確実に接触するようになされている。
【００２５】
電子スチルカメラ１は、同様に背面ケース１０Ｂに各種電子部品、配線基板等が実装された後、正面ケース１０Ａ側の配線基板２２と背面ケース１０Ｂ側の配線基板とが接続されてこれら正面ケース１０Ａ及び背面ケース１０Ｂが一体化されて組み立てられる。これにより電子スチルカメラ１は、従来のような大容量のコンデンサ１１による厚みの制限を受けることなく、全体形状が薄型化されるようになされている。
【００２６】
図５は、この電子スチルカメラ１におけるコンデンサ１１の周辺回路を示すブロック図である。この電子スチルカメラ１においては、着脱可能に保持されたバッテリ２５が正面ケース１０Ａ側の配線基板２２に接続され、このバッテリ２５に内蔵の二次電池２６の電源がこの配線基板２２に供給される。この配線基板２２は、この電源を電解コンデンサＣ１、バイパス用コンデンサＣ２を介して図示しない電源回路に供給し、この電源回路より各回路ブロックに動作用の電源を供給するようになされている。なおこの図５において、符号Ｒｓは、二次電池２６の内部抵抗である。
【００２７】
さらに配線基板２２は、図示しないコントローラの制御により、ユーザーによるシャッターの操作に応動して、ＤＣ−ＤＣ変換器２８の動作を立ち上げ、バッテリ２５から供給される電源よりフラッシュ用の高電圧を生成する。配線基板２２は、この高電圧により大容量のコンデンサ１１を徐々に充電してコンデンサ１１の端子電圧を徐々に立ち上げる。配線基板２２は、このコンデンサ１１に蓄積される電力の放電によりフラッシュ４を駆動し、これにより所望の被写体を照明することができるようになされている。
【００２８】
（２）実施例の動作
以上の構成において、電子スチルカメラ１に適用されるコンデンサ１１は（図２）、電解紙を間に挟んで、必要とする容量の分、シート材による陽極用電極１６Ａ、陰極用電極１６Ｂを交互に積層して平板形状により形成される。これによりこのコンデンサ１１を実装する電子機器においては、例えば機器の外装、内側面に沿ってこのコンデンサ１１を配置して、従来の形状によるコンデンサを使用する場合に比して、格段的に電子機器の厚みを薄くすることができる。
【００２９】
すなわち通常、電子機器においては、殆どの場合、ケース内側面が平坦な面により形成され、この平坦な面においては、他の電子部品との間で空隙が設けられる。これによりコンデンサ１１を平板形状に形成して、この空隙の空間を有効に利用するようにすれば、機器の内部空間を有効に利用して大容量のコンデンサを配置することができる。これによりコンデンサの厚みにより制限されることなく機器の厚みを薄くすることができ、さらには何らコンデンサを設けない場合に対して、殆ど内部空間を増大させることなく、この種のコンデンサを配置することができる。
【００３０】
またこのような空隙においては、機器の外装の内側に沿った比較的大きな面積の部位であることにより、特に携帯型の電子機器においては、全体が板形状により形成されて機器全体の大きさに比してこのような平坦な領域の面積が大きいことにより、コンデンサ１１を薄型化しても、コンデンサ１１においては、充分な電極面積を確保し得、これにより充分な容量を確保することができる。
【００３１】
すなわち従来の円柱形状によるコンデンサにおいて、円柱形状に係る底面の面積をＳ１、高さをＨ１とすると、容量はＳ１×Ｈ１にほぼ比例する。これに対してコンデンサ１１においては、取り付け可能な平坦な領域の面積がＳ２の場合、この従来例に係るコンデンサと同一の容量を確保するとして、厚みはＳ１×Ｈ１／Ｓ２となる。これにより例えばＳ１／Ｓ２＝１／１０であればキャパシター全体での厚みは１／１０となり、一般の機器においては、これより大きな比率を確保し得ることにより、コンデンサ１１においては、従来に比して厚みを激減させて充分な容量を確保することができる。
【００３２】
またこのように積層構造によりコンデンサ１１を作成する場合には、いわゆるエッジ効果により効率を向上し得、これによっても体積に対する容量を大きくすることができる。これにより小型の携帯機器等に適用して、瞬時電流変化の大きな回路等に利用することができる。具体的には、瞬時に流れる電流は大きいものの、通常の動作電流が少ない回路、又はこのような通常の動作電流が殆ど流れないような回路に適用することができる。
【００３３】
またこのように薄型化することができることにより、可撓性を備えるようにコンデンサ１１を作成することもでき、これによりケース内側面が平坦な面で無い場合でも、シリンドリカル面であれば、コンデンサ１１を配置して機器の内部空間を有効に利用することができる。なお厚みを厚くして可撓性が失われる場合でも、外装の内側面がシリンドリカル面である場合には、この内側面に沿うようにコンデンサ１１を湾曲させて作成することもでき、この場合も機器の内部空間を有効に利用してコンデンサ１１を配置することができる。これらによりこの実施例では、大容量のコンデンサを設ける場合であっても、電子機器を薄型化することができるようになされている。
【００３４】
またコンデンサ１１は、陽極用電極１６Ａと平行な面に、これら陽極用電極１６Ａ、陰極用電極１６Ｂの端子１８Ａ及び１８Ｂが設けられ、この端子１８Ａ及び１８Ｂを介して所望する回路ブロックに接続できるように作成される。これによりコンデンサ１１においては、例えば機器の外装内側に配置した後に、配線基板と接続することが可能となり、組み立て作業を簡略化することができる（図３）。またこのように機器の外装内側に配置する場合にあっては、ある程度、実装に係る機器固有の専用部品との色彩を帯びることになるものの、このように端子により接続するようにすれば、例えば配線基板側に設ける端子の高さを機器に応じて種々に選定すること等により、配線基板との間の空隙の厚みが種々に異なる場合でも、これらの機器間でコンデンサ１１を共通に使用することができ、コンデンサ１１の汎用性を高めることができる。またケース外部からの衝撃等によりコンデンサ１１が振動した場合等にあっても、確実に基板との接続を確保し得、これにより信頼性を向上することができる。
【００３５】
しかしてこの実施例において、コンデンサ１１は、この電極１８Ａ及び１８Ｂが配置されてない側の面に粘着剤、剥離シートが設けられて供給される。電子スチルカメラ１の製造工程においては（図３）、正面ケース１０Ａのアッセンブリ工程において、この剥離シートを剥がした後、この正面ケース１０Ａの内側面、何らケース表面側に電子部品が設けられていない領域にコンデンサ１１を押し付けて、コンデンサ１１がケース１０Ａに実装される。またその後、各種電子部品２１を実装してなる配線基板２２をケース１０Ａに組み込み、このとき配線基板２２のコンデンサ１１側に設けられた端子２３Ａ及び２３Ｂによりコンデンサ１１が配線基板２２に形成された回路ブロックに接続される（図３及び図４）。またさらにアッセンブリされてなる背面ケース１０Ｂと組み合わされて組み立てが完了する（図１）。
【００３６】
電子スチルカメラ１では（図５）、このコンデンサ１１がフラッシュ４の駆動回路であるＤＣ−ＤＣ変換器２８に接続されて、発光体であるフラッシュの駆動用電源の充電に使用され、これにより電子スチルカメラ１では、このような発光体の駆動に供する大容量のコンデンサを実装する場合でも、全体形状を薄型化することができる。しかしてこれによりこの電子スチルカメラ１では、種々の場所に携帯して、例えば明かりの不足する夕方、夜間、屋内等において、充分な光量により所望する被写体を撮像することができる。
【００３７】
なお通常の電子スチルカメラに適用されるフラッシュにおいては、発光時における消費エネルギーが７．８〔Ｗｓｅｃ〕程度、アーク長が１３．５〔ｍｍ〕程度、最低発光電圧が２４０〔Ｖ〕以下のものが適用される。このようなフラッシュ４を定格で発光させる場合、コンデンサ１１においては、容量４２〜２５０〔μＦ〕、耐圧３１５〔Ｖ〕程度のものが必要とされ、この程度の容量、耐圧のコンデンサであってもこの実施例に係るコンデンサ１１にあっては、薄い厚みにより作成することができる。
【００３８】
またこのようなコンデンサ１１が外装の内側に設けられていることにより、電子スチルカメラ１においては、このコンデンサ１１により不要輻射を低減することも期待される。
【００３９】
（３）実施例の効果
以上の構成によれば、陽極用電極及び陰極用電極を交互に積層して平板形状によりコンデンサを形成することにより、また機器の外装の面である内側面に沿わせてこのコンデンサを配置することにより、大容量のコンデンサを設ける場合であっても、電子機器を薄型化することができる。
【００４０】
またコンデンサに端子を設けることにより、さらにはこの端子に配線基板の端子を接触させてコンデンサを対応する回路ブロックに接続することにより、組み立て作業を簡略化することができる。
【００４１】
またこのコンデンサが、充電した電力の放電により一時的に電子部品を駆動するコンデンサであることにより、さらにはこの電子部品が、発光素子であることにより、発光素子等を駆動するのに必要な大容量のコンデンサを設ける場合であっても、電子機器を薄型化することができる。
【実施例２】
【００４２】
図６は、本発明の実施例２に係る電子スチルカメラに適用されるコンデンサを対応する回路ブロックと共に示す接続図である。この電子スチルカメラでは、実施例１について上述したと同様にして大容量のコンデンサ１１が実装され、このコンデンサ１１がこの図６に示す回路ブロックに適用される。なおこの実施例に係る電子スチルカメラは、この図６に係る構成が異なる点を除いて、実施例１の電子スチルカメラと同一に構成される。
【００４３】
すなわちこの電子スチルカメラにおいては、配線基板２２に実装されたＤＣ−ＤＣ変換器３８によりバッテリ２５の電源を昇圧して所望の電圧による電源を生成するようになされ、コンデンサ１１は、この電源の平滑用に適用される。
【００４４】
この実施例のように平滑用に大容量のコンデンサを設ける場合であっても、実施例１と同一の効果を得ることができる。
【実施例３】
【００４５】
図７は、本発明の実施例３に係る電子スチルカメラに適用されるコンデンサを対応する回路ブロックと共に示す接続図である。この電子スチルカメラでは、実施例１について上述したと同様にして大容量のコンデンサ１１が実装され、このコンデンサ１１がこの図７に示す回路ブロックに適用される。なおこの実施例に係る電子スチルカメラは、この図７に係る構成が異なる点を除いて、実施例１の電子スチルカメラと同一に構成される。
【００４６】
すなわちこの電子スチルカメラにおいては、配線基板２２に入力されるバッテリ２５による電源のデカップリング用にコンデンサ１１が適用され、瞬時電流による電源電圧の降下を緩和する。
【００４７】
この実施例のようにデカップリング用のコンデンサを適用して、瞬時電流による電源電圧の降下を緩和する場合であっても、実施例１と同一の効果を得ることができる。
【実施例４】
【００４８】
なお上述の実施例においては、断面Ｖの字形状による端子によりコンデンサを基板に接続する場合について述べたが、本発明はこれに限らず、端子の形状にあっては種々の形状を適用することができ、また端子自体に弾性を設けないようにして基板の撓みにより弾性を確保するようにしてもよい。
【００４９】
また上述の実施例においては、端子を介してコンデンサを基板に接続する場合について述べたが、本発明はこれに限らず、リード線により接続する場合等にも広く適用することができる。
【００５０】
また上述の実施例においては、それぞれ１つのコンデンサを外装内側面に配置する場合について述べたが、本発明はこれに限らず、複数のコンデンサを併設して、さらには重ね合わせて配置するようにしてもよい。またこの場合に、図６及び図７との対比により図８に示すように、２種類のコンデンサを一体化して複合型のコンデンサ４１を形成し、このコンデンサ４１を外装内側面に配置するようにしてもよい。
【００５１】
また上述の実施例においては、酸化皮膜による誘電体膜を形成してなる陽極用電極、電解紙、陰極用電極による電解コンデンサに本発明を適用する場合について述べたが、本発明はこれに限らず、例えば電気二重層によるコンデンサ等、種々の電解コンデンサに広く適用することができる。
【００５２】
また上述の実施例においては、それぞれフラッシュの駆動用等にコンデンサを実装する場合について述べたが、本発明はこれに限らず、例えば、ＵＳＢ（Universal Serial Bus）により供給される電力を一次蓄積してハードディスクの起動に係る瞬時電流を補う場合等、要は大容量のコンデンサを実装する場合に広く適用することができる。
【００５３】
また上述の実施例においては、粘着剤による接着によりコンデンサを配置する場合について述べたが、本発明はこれに限らず、例えばエポキシ樹脂等の粘着剤による接着により配置する場合、ケースに設けた爪等によりケースに保持して配置する場合、さらにはケースとの一体成形によりケースに配置する場合等、種々の配置方法を広く適用することができる。
【００５４】
また上述の実施例においては、外装の内側面に沿わせてコンデンサを配置する場合について述べたが、本発明はこれに限らず、例えば着脱可能にバッテリを取り付ける電子機器において、このバッテリを取り付ける面にコンデンサを配置する場合等、外装の外側面に配置するようにしてもよい。また要は、コンデンサを外装面に沿わせて配置すればよく、コンデンサ自体が外装壁面の一部を構成するようにしてもよい。
【００５５】
また上述の実施例においては、本発明を電子スチルカメラに適用する場合について述べたが、本発明はこれに限らず、携帯電話、ＰＤＡ、ビデオカメラ等、バッテリにより動作する携帯型の各種電子機器、さらには据え置き型の電子機器等に広く適用することができる。
【産業上の利用可能性】
【００５６】
本発明は、電子スチルカメラ、携帯電話、ＰＤＡ等に適用することができる。
【図面の簡単な説明】
【００５７】
【図１】本発明の実施例１に係る電子スチルカメラを示す斜視図である。
【図２】図１の電子スチルカメラに適用されるコンデンサの説明に供する略線図である。
【図３】図２のコンデンサの実装方法の説明に供する断面図である。
【図４】図２のコンデンサの電極の説明に供する平面図及び側面図である。
【図５】図２のコンデンサの周辺回路を示す接続図である。
【図６】本発明の実施例２に係る電子スチルカメラに適用されるコンデンサの周辺回路を示す接続図である。
【図７】本発明の実施例３に係る電子スチルカメラに適用されるコンデンサの周辺回路を示す接続図である。
【図８】本発明の実施例４に係る電子スチルカメラに適用されるコンデンサの周辺回路を示す接続図である。
【符号の説明】
【００５８】
１……電子スチルカメラ、１０Ａ……正面ケース、１０Ｂ……背面ケース、１１、４１……コンデンサ、１６Ａ……陽極用電極、１６Ｂ……陰極用電極、１８Ａ、１８Ｂ、２３Ａ、２３Ｂ……端子、２２……配線基板
【図１】
2005064212.tif 000003
【図２】
2005064212.tif 000004
【図３】
2005064212.tif 000005
【図４】
2005064212.tif 000006
【図５】
2005064212.tif 000007
【図６】
2005064212.tif 000008
【図７】
2005064212.tif 000009
【図８】
2005064212.tif 000010